(57)【要約】      （修正有）【課題】ダンボールやボール紙などの板体の平面に、前記ダンボールやボール紙などの板体から打ち抜かれた文字や図形を貼付けた、軽量で安価な表示板を提供する。【解決手段】ダンボールやボール紙などの板体２と、ダンボールやボール紙などから打ち抜かれた文字１や図形から構成され、前記ダンボールやボール紙などの板体の平面に、前記ダンボールやボール紙などの板体から打ち抜かれた文字１や図形を貼付し、表示板としての機能を持たせたことを特徴として表示板を構成する。【選択図】図２
0003163788.tif 000002
【実用新案登録請求の範囲】
【請求項１】
ダンボールやボール紙などの紙製の箱体の平面に文字や図形を打ち抜いたことを特徴とする表示板。
【請求項２】
請求項１の表示板を作成する際、ダンボールやボール紙などの紙製の箱体から打ち抜かれた文字や図形を板体に貼付したことを特徴とする表示板。
【考案の詳細な説明】
【考案の詳細な説明】
【技術分野】
【０００１】  本願考案は、工場、店舗、住居などの主に屋内で使用する表示板に関するものである。
【背景技術】
【０００２】  従来、ダンボールやボール紙を用いた箱体は、箱体の中に各種製品が収納され、包装用に使用されていた。【０００３】  こうした包装用の紙製箱体には、内容物が視認できるように平面が打ち抜きになっているものもあった。たとえばブドウなどの果物の包装容器として紙製箱体が用いられる場合などである。こうしたブドウなどの果物の包装容器として紙製箱体が用いられる場合、その打ち抜き部分は、内容物の形態などを図形化したりするなど、包装容器としての側面のみならず、内容物の表示機能も併せ持っていた。【０００４】
【特許文献１】上述のように包装容器であるダンボールやボール紙を用いた箱体の平面にブドウなどの内容物を図形化したものを打ち抜き的に施したものが意匠登録のＤターム：Ｆ４７１０Ｄ＝「包装容器窓部有り」として挙げられている。
【０００５】  ただし、本願の先行記述となるような文字や簡単な図形等が打ち抜きされているものが、登録されている例は過去二十年の登録を調べたが意匠登録においても見当たらなかった。
【考案の開示】
【考案が解決しようとする課題】
【０００６】  本願考案は、ダンボールやボール紙で作成された箱体（箱体を用いた表示板）及び箱体を用いた表示板作成の際に打ち抜かれた文字や図形等を板体に貼付したものを工場、店舗、住居などの主に屋内で使用する表示板として使用するものである。
【課題を解決するための手段】
【０００７】  本願考案は上記課題を解決するため、ダンボールやボール紙で作成された箱体の平面に文字や図形を打ち抜きにし、表示板としての機能を持たせる。またその際、ダンボールやボール紙で作成された箱体から打ち抜かれた文字や図形を板体に貼付し、本来「箱体を用いた表示板」作成の際に廃棄されるダンボールやボール紙から打ち抜かれた文字や図形を利用し、表示板としての機能を持たせる。
【考案の効果】
【０００８】  本願考案は上記課題を解決できるほか、ダンボールやボール紙で製造できることから、軽量化でき、一般のダンボール箱やボール箱と同様に大量に製造した場合、安価に製造できる。さらに「箱体を用いた表示板」を作成する際に廃物となるダンボールやボール紙で作成された箱体から打ち抜かれた文字や図形を利用することができ、環境面でも貢献できる。
【実施例】
【０００９】  以下、本願考案の実施例を図面を参照しながら説明する。【００１０】  図１は、本願考案請求項１の実施例の展開図であり、「禁煙」の文字及び「禁煙マーク」の図形は、打ち抜き。破線部分は、折り返し線である。【００１１】  本実施例では、平面に「禁煙」の文字及び「禁煙マーク」の図形が打ち抜きされているが、たとえば、本実施例の箱体の外面を白色、底面の内面を色を変えれば、打ち抜きされた「禁煙」の文字及び「禁煙マーク」の図形は、みやすくなる。【００１２】  つぎに本実施例の取り付け方法であるが、壁に貼付したり、ワイヤーなどで天井から吊るしたりすることによる。【００１３】  本実施例では、立方体が用いられているが、面取りなどを施すなどの本願考案の趣旨を逸脱しない範囲内で種々の改良変形が可能である。【００１４】  つぎに図２は、本願考案請求項２の実施例の平面図である。「禁煙」の文字及び「禁煙マーク」の図形は、請求項１の実施例の打ち抜かれた「禁煙」の文字及び「禁煙マーク」の図形を利用したものであり、その文字及び図形を板体２に貼付したものである。先に記したように、請求項２に係る発明は、請求項１に係る発明の廃物を利用したものであり、環境面にも貢献する。
【図面の簡単な説明】
【図１】図１は、本願考案請求項１の一実施例の展開図であり、「禁煙」の文字及び「禁煙マーク」の図形は、打ち抜き。破線部分は、折り返し線である。
【図２】図２は、本願考案請求項２の一実施例の平面図である。
【符号の説明】  １          打ち抜かれた文字  ２          板体
【図１】
0003163788.tif 000003
【図２】
0003163788.tif 000004
【手続補正書】
【提出日】平成22年4月6日(2010.4.6)
【手続補正１】
【補正対象書類名】実用新案登録請求の範囲
【補正対象項目名】全文
【補正方法】変更
【補正の内容】
【実用新案登録請求の範囲】
【請求項１】
ダンボールやボール紙などの紙製の箱体の平面に文字や図形を打ち抜き、当該文字や図形を打ち抜いたダンボールやボール紙などの紙製の箱体の平面を表示板としての機能を持たせたことを特徴とする表示板。
【請求項２】
ダンボールやボール紙などの板体と、ダンボールやボール紙などから打ち抜かれた文字や図形から構成され、前記ダンボールやボール紙などの板体の平面に、前記ダンボールやボール紙などから打ち抜かれた文字や図形を貼付し、表示板としての機能を持たせたことを特徴とする表示板。
【手続補正書】
【提出日】平成22年6月15日(2010.6.15)
【手続補正１】
【補正対象書類名】実用新案登録請求の範囲
【補正対象項目名】全文
【補正方法】変更
【補正の内容】
【実用新案登録請求の範囲】
【請求項１】
ダンボールやボール紙などの板体と、ダンボールやボール紙などから打ち抜かれた文字や図形から構成され、前記ダンボールやボール紙などの板体の平面に、前記ダンボールやボール紙などの板体から打ち抜かれた文字や図形を貼付し、表示板としての機能を持たせたことを特徴とする表示板。
【手続補正２】
【補正対象書類名】明細書
【補正対象項目名】全文
【補正方法】変更
【補正の内容】
【考案の詳細な説明】
【考案の詳細な説明】
【技術分野】
【０００１】  本願考案は、工場、店舗、住居などの主に屋内で使用する表示板に関するものである。
【背景技術】
【０００２】  従来、ダンボールやボール紙を用いた箱体は、箱体の中に各種製品が収納され、包装用に使用されていた。【０００３】  こうした包装用の紙製箱体には、内容物が視認できるように平面が打ち抜きになっているものもあった。たとえばブドウなどの果物の包装容器として紙製箱体が用いられる場合などである。こうしたブドウなどの果物の包装容器として紙製箱体が用いられる場合、その打ち抜き部分は、内容物の形態などを図形化したりするなど、包装容器としての側面のみならず、内容物の表示機能も併せ持っていた。【０００４】
【特許文献１】  上述のように包装容器であるダンボールやボール紙を用いた箱体の平面にブドウなどの内容物を図形化したものを打ち抜き的に施したものが意匠登録のＤターム：Ｆ４７１０Ｄ＝「包装容器窓部有り」として挙げられている。
【０００５】  ただし、本願の先行記述となるような文字や簡単な図形等が打ち抜きされているものが、登録されている例は過去二十年の登録を調べたが意匠登録においても見当たらなかった。
【考案の開示】
【考案が解決しようとする課題】
【０００６】  本願考案は、ダンボールやボール紙で作成された箱体作成の際に打ち抜かれた文字や図形等を板体に貼付したものを工場、店舗、住居などの主に屋内で使用する表示板として使用するものである。
【課題を解決するための手段】
【０００７】  ダンボールやボール紙で作成された箱体から打ち抜かれた文字や図形を板体に貼付し、本来「箱体を用いた表示板」作成の際に廃棄されるダンボールやボール紙から打ち抜かれた文字や図形を利用し、表示板としての機能を持たせる。
【考案の効果】
【０００８】  本願考案は上記課題を解決できるほか、ダンボールやボール紙で製造できることから、軽量化でき、安価に製造できる。
【実施例】
【０００９】  以下、本願考案の実施例を図面を参照しながら説明する。【００１０】  図１は、本願考案請求項２の実施例の平面図である。「禁煙」の文字及び「禁煙マーク」の図形は、板体から打ち抜かれたものであり、その文字及び図形を板体２に貼付したものである。【００１１】  打ち抜かれ貼付された「禁煙」の文字及び「禁煙マーク」の図形と板体の色を異なるものとすれば、みやすくなる。【００１２】  つぎに本実施例の取り付け方法であるが、壁に貼付したり、ワイヤーなどで天井から吊るしたりすることによる。【００１３】  面取りなどを施すなどの本願考案の趣旨を逸脱しない範囲内で種々の改良変形が可能である。
【図面の簡単な説明】
【００１４】
【図１】  図１は、本願考案請求項１の一実施例の平面図であり、「禁煙」の文字及び「禁煙マーク」の図形は、打ち抜かれたものを貼付してある。
【符号の説明】
【００１５】１          打ち抜かれた文字
２          板体
【手続補正３】
【補正対象書類名】図面
【補正対象項目名】全図
【補正方法】変更
【補正の内容】
【図１】
0003163788.tif 000005